(57)【要約】【課題】ＲＤＳ放送の受信装置において、使用者に違和感を抱かせないようにする。【解決手段】放送波の受信信号の強度レベルが予め定めるレベル以上であるか否かを判定する２段目の中間周波アンプおよび復調ブロック２７のＳＤ端子からの出力と、受信信号がＲＤＳ放送の信号であるか否かを判定するＲＤＳデコーダブロックのＲＤＳＩＤ端子からの出力とを総合判定回路４１に入力し、受信可能レベルであり、かつＲＤＳ放送の信号である場合のみ、ミュート回路４２をオフして音声出力を可能にし、またマイクロコンピュータ３７による表示装置３８への文字情報の表示を可能にする。したがって、音声信号の再生のみが行われたり、文字情報の再生のみが行われたりというように、一方の信号のみが再生されてしまい、使用者に違和感を抱かせることを無くすことができる。【選択図】　図１
2004146937.tif 000002
【特許請求の範囲】
【請求項１】
放送信号に付加信号が多重化されて成る放送波を受信し、前記放送信号および付加信号をそれぞれの復調手段で復調するようにした受信装置において、
前記放送波の受信信号の強度レベルが、予め定めるレベル以上であるか否かを判定するレベル判定手段と、
前記受信信号が、多重化放送の信号であるか否かを判定する多重化判定手段と、
前記レベル判定手段および多重化判定手段での判定結果に応答し、前記受信信号の強度レベルが予め定めるレベル以上であり、かつ多重化放送の信号である場合には、前記両復調手段に復調を行わせる総合判定手段とを含むことを特徴とする多重化放送の受信装置。
【請求項２】
前記受信信号を増幅する可変利得の増幅手段を有し、前記総合判定手段は、前記増幅手段から出力された受信信号の強度レベルが予め定めるレベル以上であり、かつ多重化放送の信号である場合には、前記増幅手段の利得を上昇させることを特徴とする請求項１記載の多重化放送の受信装置。
【請求項３】
前記可変利得の増幅手段は、中間周波段の初段に設けられるデュアルゲートＦＥＴであり、前記総合判定手段が、前記デュアルゲートＦＥＴの第２のゲートへの印加直流電圧を上昇するとともに、負帰還量を低下することによって、利得を上昇させることを特徴とする請求項１記載の多重化放送の受信装置。
【請求項４】
前記放送波は、ラジオ・データ・システム放送の放送波であり、
前記放送信号の復調手段は、復調された音声信号を増幅する低周波増幅回路およびその入力をＧＮＤに短絡するミュート回路を有し、
前記付加信号の復調手段は、復調されたデータ信号に応じた表示データを作成する表示データ作成手段および作成された表示データを表示する表示手段を有し、
前記総合判定手段は、前記増幅手段から出力された受信信号の強度レベルが予め定めるレベル以上であり、かつ多重化放送の信号である場合には、前記ミュート回路に前記低周波増幅回路のミュートを解除させるとともに、表示データ作成手段に表示手段への表示データの出力を許可することを特徴とする請求項１記載の多重化放送の受信装置。
【発明の詳細な説明】
【０００１】
【発明の属する技術分野】
本発明は、欧州で実施されているラジオ・データ・システム（ＲＤＳ）放送の受信装置のように、放送信号に付加信号が多重化されて成る放送波を受信し、それぞれの信号を復調するようにした受信装置に関する。
【０００２】
【従来の技術】
前記ラジオ・データ放送では、前記放送信号である音声信号に、前記付加信号である文字情報やキャラクタデータなどが多重化されて放送されており、ネットワーク局や、放送中の曲名等を前記付加信号として付加することで、利便性の向上が図られている。このような多重化放送の受信装置の典型的な従来技術は、特許第３２１６７９８号公報に示されている。
【０００３】
図２は、その従来技術による受信装置１のブロック図である。アンテナ２で受信された受信信号は、チューナ３に入力されて局部発振信号と混合され、得られた中間周波信号は、１段目の中間周波フィルタ４を介して、１段目の中間周波アンプ５に入力される。この中間周波アンプ５は、後述するように可変利得の高利得アンプとなっており、増幅された中間周波信号は、２段目の中間周波フィルタ６を介して、２段目の中間周波アンプおよび復調ブロック７に入力されて、放送信号である左右両チャネルの音声信号が検波・復調される。
【０００４】
復調された左右各チャネルの音声信号は、低周波プリアンプ８Ｌ，８Ｒおよびボリュウム９Ｌ，９Ｒによって、それぞれのチャネルで音量およびチャネル間のバランスが調整された後、パワーアンプ１０Ｌ，１０Ｒによって増幅され、スピーカ１１Ｌ，１１Ｒからそれぞれ音響出力される。
【０００５】
また、前記中間周波アンプおよび復調ブロック７からは、検波出力信号が導出され、ＲＤＳデコーダブロック１５に入力される。前記ＲＤＳデコーダブロック１５は、前記検波出力信号からＲＤＳ放送のデータおよびクロックを復調する。そのデータおよびクロックは、マイクロコンピュータ１７に入力されて、前記ネットワーク局や、放送中の曲名等の表示データが作成され、表示装置１８に表示出力される。
【０００６】
さらにまた、前記ＲＤＳデコーダブロック１５内のＲＤＳ識別回路１６において、前記検波出力信号から、現在受信中の放送波がＲＤＳ放送のものであるか否かおよび受信信号レベルが表示可能なレベルであるか否かが識別（判別）され、ＲＤＳ放送のものであり、かつ表示可能なレベルであると判定された場合は、オープンコレクタの出力トランジスタｔｒ１をオンし、そうでない場合は前記出力トランジスタｔｒ１をオフする。
【０００７】
一方、前記前記中間周波アンプ５は、トランジスタｑのエミッタ接地回路で構成される可変利得の高利得アンプである。前記トランジスタｑのベースが該中間周波アンプ５の入力端となり、前記１段目の中間周波フィルタ４からの中間周波信号が入力され、コレクタが該中間周波アンプ５の出力端となり、前記２段目の中間周波フィルタ６への出力が導出される。前記トランジスタｑのベースには、ハイレベルの電源＋Ｂが、コンデンサｃ１で平滑化された後、バイアス抵抗ｒ１，ｒ２を介して与えられる。また、コンデンサｃ１からのバイアス電圧は、バイアス抵抗ｒ３を介して、トランジスタｑのコレクタに与えられる。前記トランジスタｑのエミッタは、負帰還抵抗ｒ４を介して接地されている。
【０００８】
上述のように構成される中間周波アンプ５に関連して、前記特許第３２１６７９８号では、該中間周波アンプ５を負帰還量制御型とするために、負帰還量制御回路１９が設けられている。この負帰還量制御回路１９では、前記負帰還抵抗ｒ４と並列に、コンデンサｃ２と可変容量素子ｖｃとの直列回路が接続されている。前記可変容量素子ｖｃは、バイアス電圧に応じて容量が変化し、そのバイアス電圧は、コンデンサｃ３で保持されており、抵抗ｒ５を介して与えられる。前記コンデンサｃ３は、抵抗ｒ６を介して、前記ハイレベルの電源＋Ｂによって充電される。
【０００９】
また、前記コンデンサｃ３は、前記出力トランジスタｔｒ１のコレクタが接続されるＲＤＳデコーダブロック１５のＲＤＳＩＤ端子に接続され、したがってオープンコレクタの出力トランジスタｔｒ１が、オフすると該コンデンサｃ３は充電され、オンすると該コンデンサｃ３の端子間が短絡されて放電する。前記可変容量素子ｖｃへバイアス電圧を供給する抵抗ｒ５および抵抗ｒ６は、前記負帰還抵抗ｒ４と比べて充分大きく、トランジスタｑのエミッタと接地との間のインピーダンスに対して、無視することができる。
【００１０】
したがって、前記ＲＤＳデコーダブロック１５でＲＤＳ放送が表示不可能なレベルであると判定されると、ＲＤＳＩＤ端子はオープンとなり、コンデンサｃ３は充電され、可変容量素子ｖｃへバイアス電圧が与えられる。これによって、該可変容量素子ｖｃの容量が大きくなり、コンデンサｃ２と該可変容量素子ｖｃとの直列回路のインピーダンスが前記負帰還抵抗ｒ４と比べて無視できる程度に大きくなって、トランジスタｑのエミッタと接地との間のインピーダンスが略負帰還抵抗ｒ４の値となり、中間周波アンプ５の利得は通常の利得となる。
【００１１】
これに対して、前記ＲＤＳデコーダブロック１５でＲＤＳ放送が表示可能なレベルであると判定されると、ＲＤＳＩＤ端子は接地され、コンデンサｃ３は放電され、可変容量素子ｖｃへはバイアス電圧が印加されなくなる。これによって、該可変容量素子ｖｃの容量が小さくなり、コンデンサｃ２と該可変容量素子ｖｃとの直列回路のインピーダンスが負帰還抵抗ｒ４のインピーダンスよりも小さくなって、トランジスタｑのエミッタと接地との間のインピーダンスが小さくなり、中間周波アンプ５の利得は上昇する。
【００１２】
このようにして、一旦ＲＤＳ放送を受信して、文字やキャラクタが表示できたら、中間周波アンプ５の利得を上昇し、多少受信信号レベルが変動しても、継続して、かつ安定した受信を行うようになっている。
【００１３】
さらにまた、前記中間周波アンプおよび復調ブロック７内には、信号検出回路２０が設けられており、この信号検出回路２０は、前記中間周波信号から、現在受信中の放送波の受信信号レベルが受信可能なレベルであるか否かを識別（判別）し、受信可能なレベルであると判定された場合は、オープンコレクタの出力トランジスタｔｒ２をオンして出力を接地レベルとし、そうでない場合は前記出力トランジスタｔｒ２をオフする。前記出力トランジスタｔｒ２のコレクタは中間周波アンプおよび復調ブロック７の信号検出（ＳＤ）端子に接続され、そのＳＤ端子の出力は前記マイクロコンピュータ１７に入力される。マイクロコンピュータ１７は、前記ＳＤ端子の出力を用い、たとえばサーチ中に受信可能なレベルの放送波が検出され、前記ＳＤ端子が接地レベルとなると、サーチ動作を停止するなどの処理を行い、または前記ＳＤ端子の出力がオープンであると、図示しないミュート回路にパワーアンプ１０Ｌ，１０Ｒをミュート状態とさせ、ＳＤ端子が接地レベルとなると、前記ミュート状態を解除させ、前記音声信号の音響化を可能にするなどの処理を行う。
【００１４】
なお、音声信号の復調のための構成およびＳＤ端子に関する構成は、一般的なＲＤＳ放送の受信装置を表す上で、前記特許第３２１６７９８号公報の構成に追加して示すものである。
【００１５】
【特許文献１】
特許第３２１６７９８号公報（公報発行日平成１３年１０月　９日）
【００１６】
【発明が解決しようとする課題】
上述のように構成される受信装置１では、ＲＤＳデコーダブロック１５のＲＤＳＩＤ端子からの出力を用いて負帰還量制御回路１９が中間周波アンプ５の利得を制御することで、上述のように、一旦ＲＤＳ放送を受信して、文字やキャラクタが表示できたら、負帰還量を小さくして、その受信状態を保持できるようになっている。しかしながら、そのＲＤＳＩＤ端子からの出力と前記ＳＤ端子からの出力とを個別に用いて、それぞれに対応した制御を行うので、受信信号レベル（アンテナ入力レベル＝電界強度レベル）に対してそれぞれの閾値レベルにずれがあると、受信装置全体の動作として、不自然な動作になるという問題がある。
【００１７】
具体的には、たとえば図３（ａ）で示すように、受信信号レベルに対して、ＳＤ出力がＲＤＳＩＤ出力に比べて感度が高い、すなわちＳＤ出力の方がより弱電界でアクティブのローレベルに切換わる場合には、それらの感度差の領域では、音声信号は再生されても、データは表示されない状態となる。これに対して、図３（ｂ）で示すように、受信信号レベルに対して、ＲＤＳＩＤ出力がＳＤ出力に比べて感度が高い場合には、それらの感度差の領域では、データは表示されても、音声信号は再生されない状態となる。したがって、入力レベルがそのような感度差の領域になるような場所で、放送受信した場合、使用者は違和感を持ち続け、受信装置が故障していると勘違いすることがある。
【００１８】
本発明の目的は、使用者に違和感を抱かせないようにすることができる多重化放送の受信装置を提供することである。
【００１９】
【課題を解決するための手段】
本発明の多重化放送の受信装置は、放送信号に付加信号が多重化されて成る放送波を受信し、前記放送信号および付加信号をそれぞれの復調手段で復調するようにした受信装置において、前記放送波の受信信号の強度レベルが、予め定めるレベル以上であるか否かを判定するレベル判定手段と、前記受信信号が、多重化放送の信号であるか否かを判定する多重化判定手段と、前記レベル判定手段および多重化判定手段での判定結果に応答し、前記受信信号の強度レベルが予め定めるレベル以上であり、かつ多重化放送の信号である場合には、前記両復調手段に復調を行わせる総合判定手段とを含むことを特徴とする。
【００２０】
上記の構成によれば、音声信号などの放送信号に、文字情報やキャラクタデータなどの付加信号が多重化されて成る放送波を受信し、前記音声信号および文字情報などを復調するようにした受信装置において、受信信号の強度レベルが、予め定めるレベル以上であるか否かを表し、放送の有無の判定などに使用されるレベル判定手段からの出力と、前記受信信号が、多重化放送の信号であるか否かを表し、前記文字情報を表示するか否かの判定などに使用される多重化判定手段からの出力とを、共に総合判定手段へ入力して、受信信号の強度レベルが予め定めるレベル以上であり、かつ多重化放送の信号である場合にのみ、放送信号の復調手段および付加信号の復調手段での復調を共に可能にする。
【００２１】
したがって、総合判定手段に入力される２つの判定結果に対する判定閾値にばらつきがあっても、それらの判定閾値の厳しい方も満足した場合にのみ、すなわち２つの判定手段のどちらか良い方の感度を悪い方に揃え、その悪い方の感度でも判定された場合にのみ、放送信号の復調手段および付加信号の復調手段での復調が共に可能になる。これによって、前記音声信号の再生のみが行われたり、文字情報の再生のみが行われたりというように、一方の信号のみが再生され、使用者に違和感を抱かせることを無くすことができる。
【００２２】
また、本発明の多重化放送の受信装置では、前記受信信号を増幅する可変利得の増幅手段を有し、前記総合判定手段は、前記増幅手段から出力された受信信号の強度レベルが予め定めるレベル以上であり、かつ多重化放送の信号である場合には、前記増幅手段の利得を上昇させることを特徴とする。
【００２３】
上記の構成によれば、受信信号の強度レベルが予め定めるレベル以上であり、かつ多重化放送の信号であるという条件が揃った場合のみ、上述のような復調動作の許可に連動して、増幅手段の利得を上昇させる。
【００２４】
したがって、上述のように一旦復調を許可してしまえば、受信信号の強度レベルが多少低下しても、増幅手段の利得が上昇していることで、継続、かつ安定して、その放送を受信することができる。
【００２５】
さらにまた、本発明の多重化放送の受信装置では、前記可変利得の増幅手段は、中間周波段の初段に設けられるデュアルゲートＦＥＴであり、前記総合判定手段が、前記デュアルゲートＦＥＴの第２のゲートへの印加直流電圧を上昇するとともに、負帰還量を低下することによって、利得を上昇させることを特徴とする。
【００２６】
上記の構成によれば、増幅手段における利得を大幅に上昇させることができる。
【００２７】
また、本発明の多重化放送の受信装置では、前記放送波は、ＲＤＳ放送の放送波であり、前記放送信号の復調手段は、復調された音声信号を増幅する低周波増幅回路およびその入力をＧＮＤに短絡するミュート回路を有し、前記付加信号の復調手段は、復調されたデータ信号に応じた表示データを作成する表示データ作成手段および作成された表示データを表示する表示手段を有し、前記総合判定手段は、前記増幅手段から出力された受信信号の強度レベルが予め定めるレベル以上であり、かつ多重化放送の信号である場合には、前記ミュート回路に前記低周波増幅回路のミュートを解除させるとともに、表示データ作成手段に表示手段への表示データの出力を許可することを特徴とする。
【００２８】
上記の構成によれば、前記放送波がＲＤＳ放送の放送波である場合に、音声信号の再生およびデータの再生が連動して行われ、何れか一方のみが再生されて、前記のような違和感を抱かせることはない。
【００２９】
【発明の実施の形態】
本発明の実施の一形態について、図１に基づいて説明すれば、以下のとおりである。
【００３０】
図１は、本発明の実施の一形態の受信装置２１のブロック図である。この受信装置２１は、ＲＤＳ放送の受信装置である。アンテナ２２で受信された受信信号は、チューナ２３に入力されて局部発振信号と混合され、得られた中間周波信号は、１段目の中間周波フィルタ２４を介して、１段目の中間周波アンプ２５に入力される。この中間周波アンプ２５は、後述するように可変利得の高利得アンプとなっており、増幅された中間周波信号は、２段目の中間周波フィルタ２６を介して、２段目の中間周波アンプおよび復調ブロック２７に入力されて、放送信号である左右両チャネルの音声信号が検波・復調される。
【００３１】
復調された左右各チャネルの音声信号は、低周波プリアンプ２８Ｌ，２８Ｒおよびボリュウム２９Ｌ，２９Ｒによって、それぞれのチャネルで音量およびチャネル間のバランスが調整された後、パワーアンプ３０Ｌ，３０Ｒによって増幅され、スピーカ３１Ｌ，３１Ｒからそれぞれ音響出力される。
【００３２】
また、前記中間周波アンプおよび復調ブロック２７からは、検波出力信号が導出され、ＲＤＳデコーダブロック３５に入力される。前記ＲＤＳデコーダブロック３５は、前記検波出力信号から、付加信号であるＲＤＳ放送のデータおよびクロックを復調する。そのデータおよびクロックは、マイクロコンピュータ３７に入力されて、前記ネットワーク局や、放送中の曲名等の表示データが作成され、表示装置３８に表示出力される。
【００３３】
さらにまた、前記ＲＤＳデコーダブロック３５内のＲＤＳ識別回路３６において、前記検波出力信号から、現在受信中の放送波がＲＤＳ放送のものであるか否かおよび受信信号レベルが表示可能なレベルであるか否かが識別（判別）され、ＲＤＳ放送のものであり、かつ表示可能なレベルであると判定された場合は、オープンコレクタの出力トランジスタＴｒ１をオンして出力を接地レベルとし、そうでない場合は前記出力トランジスタＴｒ１をオフする。前記出力トランジスタＴｒ１のコレクタは、ＲＤＳＩＤ端子に接続される。
【００３４】
また、前記中間周波アンプおよび復調ブロック２７内には、信号検出回路４０が設けられており、この信号検出回路４０は、前記中間周波信号から、現在受信中の放送波の受信信号レベルが受信可能なレベルであるか否かを識別（判別）し、受信可能なレベルであると判定された場合は、オープンコレクタの出力トランジスタＴｒ２をオンして出力を接地レベルとし、そうでない場合は前記出力トランジスタＴｒ２をオフする。前記出力トランジスタＴｒ２のコレクタは中間周波アンプおよび復調ブロック７のＳＤ端子に接続される。以上の構成は、従来の受信装置１と同様である。
【００３５】
一方、中間周波段において、初段の前記中間周波アンプ２５は、デュアルゲートＦＥＴＱ１のソース接地回路で構成される可変利得の高利得アンプである。前記ＦＥＴＱ１の第１のゲートが該中間周波アンプ２５の入力端となり、前記１段目の中間周波フィルタ２４からの中間周波信号が抵抗Ｒ０を介して入力され、ドレインが該中間周波アンプ２５の出力端となり、前記２段目の中間周波フィルタ２６への出力が導出され、ソースは負帰還抵抗Ｒ４を介して接地される。前記ＦＥＴＱ１の第２のゲートには、ハイレベルの電源＋Ｂが、コンデンサＣ１で平滑化された後、バイアス抵抗Ｒ１，Ｒ２を介して与えられる。また、コンデンサＣ１からのバイアス電圧は、バイアス抵抗Ｒ３を介して、ＦＥＴＱ１のドレインに与えられる。
【００３６】
前記中間周波アンプ２５に関連して、該中間周波アンプ２５を負帰還量制御型とするために、利得制御回路３９が設けられている。この利得制御回路３９では、前記負帰還抵抗Ｒ４と並列に、コンデンサＣ２と可変容量素子ＶＣとの直列回路が接続されている。前記可変容量素子ＶＣは、直流バイアス電圧に応じて容量が変化し、そのバイアス電圧は、コンデンサＣ３で保持されており、抵抗Ｒ５を介して与えられる。前記コンデンサＣ３は、後述するように、前記ハイレベルの電源＋Ｂによって充電される。
【００３７】
前記可変容量素子ＶＣへバイアス電圧を供給する抵抗Ｒ５は、前記負帰還抵抗Ｒ４と比べて充分大きく、ＦＥＴＱ１のエミッタと接地との間のインピーダンスに対して、無視することができる。ここで、デュアルゲートＦＥＴＱ１の増幅度は、該ＦＥＴＱ１のソース−接地間のインピーダンス値によっても変化する。インピーダンス値が大きいと負帰還量が大きく、該ＦＥＴＱ１のゲインが小さくなり増幅度が小さくなる。そこで、前記コンデンサＣ２の容量値を、Ｃ２　＞＞　ＶＣに選んで設定すれば、前記ＦＥＴＱ１のソース−接地間のインピーダンス値は、抵抗Ｒ４の抵抗値と、可変容量素子ＶＣの容量値との並列値となる。
【００３８】
これによって、前記コンデンサＣ３の端子電圧がハイレベルであると、可変容量素子ＶＣへバイアス電圧が与えられ、該可変容量素子ＶＣの容量が大きくなり、コンデンサＣ２と該可変容量素子ＶＣとの直列回路のインピーダンスが前記負帰還抵抗Ｒ４と比べて無視できる程度に大きくなって、ＦＥＴＱ１のエミッタと接地との間のインピーダンスが略負帰還抵抗Ｒ４の値となり、中間周波アンプ２５の利得は通常の利得となる。これに対して、前記コンデンサＣ３の端子電圧がローレベルであると、可変容量素子ＶＣへはバイアス電圧が印加されなくなり、該可変容量素子ＶＣの容量が小さくなり、コンデンサＣ２と該可変容量素子ＶＣとの直列回路のインピーダンスが負帰還抵抗Ｒ４のインピーダンスよりも小さくなって、ＦＥＴＱ１のエミッタと接地との間のインピーダンスが小さくなり、中間周波アンプ２５の利得は上昇する。
【００３９】
注目すべきは、本発明の利得制御回路３９では、前記コンデンサＣ３の端子電圧は、抵抗Ｒ１０を介して、Ｎ型のトランジスタＱ２のベースにも与えられており、このトランジスタＱ２および抵抗Ｒ１１の直列回路が、前記バイアス抵抗Ｒ２と並列に設けられていることである。ここで、前記デュアルゲートＦＥＴは、第２のゲートへ印加されるバイアス電圧が上がると、ｇｍ（相互コンダクタンス）値が大きくなるので、該ＦＥＴＱ１の増幅度（＝ｇｍ×Ｑ１のドレイン負荷抵抗値）が大きくなるという特性を有している。
【００４０】
したがって、前記コンデンサＣ３の端子電圧がハイレベルであると、トランジスタＱ２がオンして、バイアス抵抗Ｒ２に抵抗Ｒ１１を並列に挿入し、したがって合成抵抗値を（Ｒ２・Ｒ１１）／（Ｒ２＋Ｒ１１）に低下して、前記ＦＥＴＱ１の第２のゲートへ印加される直流のバイアス電圧を前記合成抵抗値倍に低下する。これによって、中間周波アンプ２５の利得は前記通常の利得となる。これに対して、前記コンデンサＣ３の端子電圧がローレベルであると、該トランジスタＱ２がオフして、バイアス抵抗Ｒ２のみとなり、前記ＦＥＴＱ１の第２のゲートへの直流のバイアス電圧が上昇し、利得が上昇する。このようにして、この利得制御回路３９では、前記ＦＥＴＱ１の第２のゲートへのバイアス電圧によっても利得を変化している。
【００４１】
また、注目すべきは、本発明では、前記ＲＤＳデコーダブロック３５のＲＤＳＩＤ端子および前記中間周波アンプおよび復調ブロック２７のＳＤ端子からの出力が入力される総合判定回路４１が設けられていることである。この総合判定回路４１は、前記ハイレベルの電源＋Ｂにとって充電されるコンデンサＣ４と、前記出力トランジスタＴｒ１，Ｔｒ２への逆流をそれぞれ防止するダイオードＤ１，Ｄ２と、前記ダイオードＤ１，Ｄ２のアノード側にハイレベルの前記コンデンサＣ４の出力電圧を与える抵抗Ｒ６，Ｒ７とを備えて構成される。前記ダイオードＤ１，Ｄ２のアノードにはまた、ローアクティブの前記ＲＤＳＩＤ端子およびＳＤ端子からの出力が入力される。
【００４２】
一方、前記ダイオードＤ１，Ｄ２のカソードが共通に接続されて成る出力端は、前記利得制御回路３９のコンデンサＣ３に接続される。このコンデンサＣ３にはまた、並列に放電抵抗Ｒ８が接続されている。したがって、前記総合判定回路４１は、前記ＲＤＳＩＤ端子およびＳＤ端子の何れかが非アクティブのオープン出力となると、前記コンデンサＣ３にハイレベルを出力し、共にアクティブのローレベルの出力となると、コンデンサＣ３への出力をオープンとし、放電抵抗Ｒ８で放電させて前記コンデンサＣ３の端子電圧をローレベルとするＡＮＤ回路となる。
【００４３】
前記コンデンサＣ３の端子電圧はまた、前記マイクロコンピュータ３７に入力され、たとえばサーチ中に前記端子電圧がローレベルとなると、サーチ動作を停止する。さらにまた、前記コンデンサＣ３の端子電圧はまた、ミュート回路４２に与えられる。このミュート回路４２は、前記パワーアンプ３０Ｌ，３０Ｒの入力端をそれぞれ接地レベルに短絡することができるトランジスタＱＬ，ＱＲと、前記コンデンサＣ３の端子電圧で充電されるコンデンサＣ５と、前記コンデンサＣ５の端子電圧を前記トランジスタＱＬ，ＱＲのベースにそれぞれ与えるバイアス抵抗ＲＬ，ＲＲとを備えて構成されており、前記コンデンサＣ３の端子電圧が、ハイレベルとなると前記トランジスタＱＬ，ＱＲがオンしてミュート動作を行い、ローレベルとなると前記トランジスタＱＬ，ＱＲがオフしてミュート動作が解除される。
【００４４】
したがって、本発明の受信装置２１では、前記中間周波アンプおよび復調ブロック２７で、受信信号レベルが受信不可能なレベルであると判定され、ＳＤ端子がオープン出力になると、または前記ＲＤＳデコーダブロック３５でＲＤＳ放送が表示不可能なレベルであると判定され、ＲＤＳＩＤ端子がオープン出力になると、前記総合判定回路４１の出力、したがってコンデンサＣ３の端子電圧がハイレベルとなり、ミュート動作が行われるとともに、サーチ動作を行っている場合にはその動作が継続され、さらに利得制御回路３９が中間周波アンプ２５の利得を通常受信時の利得に制御する。
【００４５】
これに対して、前記中間周波アンプおよび復調ブロック２７で、受信信号レベルが受信可能なレベルであると判定されてＳＤ端子の出力がローレベルになり、かつ前記ＲＤＳデコーダブロック３５でＲＤＳ放送が表示可能なレベルであると判定されてＲＤＳＩＤ端子の出力がローレベルになると、前記総合判定回路４１の出力、したがってコンデンサＣ３の端子電圧がローレベルとなり、ミュート動作が解除されるとともに、サーチ動作を行っている場合にはそのサーチ動作が停止されて受信状態になり、さらに利得制御回路３９が中間周波アンプ２５の利得を上昇し、受信信号レベルの多少の変化に対して、その受信状態を維持するように制御する。
【００４６】
このように構成することによって、総合判定回路４１に入力されるＳＤ端子の出力とＲＤＳＩＤ端子の出力との判定結果に対する判定閾値にばらつきがあっても、それらを一元化し、判定閾値の厳しい方も満足した場合にのみ、すなわち２つの判定手段のどちらか良い方の感度を悪い方に揃え、その悪い方の感度でも判定された場合にのみ、音声信号の再生および文字情報の再生が共に可能になるので、前記音声信号の再生のみが行われたり、文字情報の再生のみが行われたりというように、一方の信号のみが再生され、使用者に違和感を抱かせることを無くすことができる。こうして、受信電波の弱い、前記閾値レベル付近での不安定な受信、すなわち受信音の途切れ、ノイズの混入、ＲＤＳ表示の途切れを、強力に防ぐことができ、受信品位を高め、快適な受信が可能になる。
【００４７】
また、本発明の受信装置２１では、前記総合判定回路４１は、前記２つの判定結果を共に満足した場合にのみ、上述のような音声信号の再生および文字情報の再生に連動して、中間周波アンプ２５の利得を上昇させるので、上述のように一旦音声信号の再生および文字情報の再生を許可してしまえば、受信信号の強度レベルが多少低下しても、継続、かつ安定して、その放送を受信することができる。
【００４８】
さらにまた、本発明の受信装置２１では、前記中間周波アンプ２５は、デュアルゲートＦＥＴＱ１を備え、前記総合判定回路４１は、このデュアルゲートＦＥＴＱ１の第２のゲートへのバイアス電圧を上昇するとともに、負帰還量を低下することによって利得を上昇させるので、利得を大幅に上昇させることができる。
【００４９】
【発明の効果】
本発明の多重化放送の受信装置は、以上のように、音声信号などの放送信号に、文字情報やキャラクタデータなどの付加信号が多重化されて成る放送波を受信し、前記音声信号および文字情報などを復調するようにした受信装置において、総合判定手段を設け、受信信号の強度レベルが予め定めるレベル以上であり、かつ多重化放送の信号である場合にのみ、放送信号の復調手段および付加信号の復調手段での復調を共に可能にする。
【００５０】
それゆえ、総合判定手段に入力される２つの判定結果に対する判定閾値にばらつきがあっても、それらの判定閾値の厳しい方も満足した場合にのみ、放送信号の復調手段および付加信号の復調手段での復調を共に可能し、前記音声信号の再生のみが行われたり、文字情報の再生のみが行われたりというように、一方の信号のみが再生されてしまい、使用者に違和感を抱かせることを無くすことができる。
【００５１】
また、本発明の多重化放送の受信装置は、以上のように、受信信号を増幅する可変利得の増幅手段を設け、受信信号の強度レベルが予め定めるレベル以上であり、かつ多重化放送の信号であるという条件が揃った場合のみ、上述のような復調動作の許可に連動して、増幅手段の利得を上昇させる。
【００５２】
それゆえ、上述のように一旦復調を許可してしまえば、受信信号の強度レベルが多少低下しても、継続、かつ安定して、その放送を受信することができる。
【００５３】
さらにまた、本発明の多重化放送の受信装置は、以上のように、前記可変利得の増幅手段は、中間周波段の初段に設けられるデュアルゲートＦＥＴであり、前記総合判定手段が、前記デュアルゲートＦＥＴの第２のゲートへの印加直流電圧を上昇するとともに、負帰還量を低下することによって、利得を上昇させる。
【００５４】
それゆえ、増幅手段における利得を大幅に上昇させることができる。
【００５５】
また、本発明の多重化放送の受信装置は、以上のように、前記放送波がＲＤＳ放送の放送波であり、前記放送信号の復調手段が、復調された音声信号を増幅する低周波増幅回路およびその入力をＧＮＤに短絡するミュート回路を有し、前記付加信号の復調手段が、復調されたデータ信号に応じた表示データを作成する表示データ作成手段および作成された表示データを表示する表示手段を有し、前記総合判定手段が、前記増幅手段から出力された受信信号の強度レベルが予め定めるレベル以上であり、かつ多重化放送の信号である場合には、前記ミュート回路に前記低周波増幅回路のミュートを解除させるとともに、表示データ作成手段に表示手段への表示データの出力を許可する。
【００５６】
それゆえ、前記放送波がＲＤＳ放送の放送波である場合に、音声信号の再生およびデータの再生が連動して行われ、何れか一方のみが再生されて、前記のような違和感を抱かせることはない。
【図面の簡単な説明】
【図１】本発明の実施の一形態の受信装置のブロック図である。
【図２】典型的な従来技術の受信装置のブロック図である。
【図３】従来の受信装置におけるアンテナ入力レベルに対するＳＤ感度とＲＤＳＩＤ感度とを示す図である。
【符号の説明】
２１　　受信装置
２２　　アンテナ
２３　　チューナ
２４　　１段目の中間周波フィルタ
２５　　１段目の中間周波アンプ
２６　　２段目の中間周波フィルタ
２７　　２段目の中間周波アンプおよび復調ブロック（レベル判定手段）
２８Ｌ，２８Ｒ　　低周波プリアンプ
２９Ｌ，２９Ｒ　　ボリュウム
３０Ｌ，３０Ｒ　　パワーアンプ
３１Ｌ，３１Ｒ　　スピーカ
３５　　ＲＤＳデコーダブロック（多重化判定手段）
３６　　ＲＤＳ識別回路
３７　　マイクロコンピュータ
３８　　表示装置
３９　　利得制御回路
４０　　信号検出回路
４１　　総合判定回路（総合判定手段）
４２　　ミュート回路
Ｃ１，Ｃ２，Ｃ３，Ｃ４，Ｃ５　　コンデンサ
Ｄ１，Ｄ２　　ダイオード
Ｑ１　　デュアルゲートＦＥＴ
Ｑ２；ＱＬ，ＱＲ　　トランジスタ
Ｒ０，Ｒ５，Ｒ６，Ｒ７，Ｒ１０，Ｒ１１　　抵抗
Ｒ１，Ｒ２，Ｒ３；ＲＬ，ＲＲ　　バイアス抵抗
Ｒ４　　負帰還抵抗
Ｒ８　　放電抵抗
Ｔｒ１，Ｔｒ２　　出力トランジスタ
ＶＣ　　可変容量素子
【図１】
2004146937.tif 000003
【図２】
2004146937.tif 000004
【図３】
2004146937.tif 000005